(57)【要約】【課題】  隠蔽すべき文字や数字を隠蔽できると共に、地紋を設けた面にあらわされた宛名などの視認性を向上できる葉書を提供する。【解決手段】  基体シート重ね合わせ面となる裏面の一方に隠蔽情報が印字により印刷され、裏面の他方に地紋印刷部７の印刷が並設して形成され、これら一方及び他方の間に剥離可能な接着層が設けられる。地紋印刷部７は、２点鎖線で示した仮想矩形形枠11の内側に第１ないし３の矩形模様印刷部12，13，14が設けられていると共に、第１の辺印刷部12Ａにおけるそれぞれの中間部より仮想矩形形枠11の角11Ｂに向けて直線状の放射方向印刷部15を仮想矩形枠11の角11Ｂ側まで設けて、隠蔽情報を隠蔽できる。さらに地紋印刷部７における矩形模様印刷部12，13，14間により、また放射方向印刷部15の内側15Ａ等は破線状に設けられることにより、空隙が可及的に多くして地紋７を設けた面に宛名などをあらわしてその視認性を向上できる。【選択図】図４
0003105383.tif 000002
【実用新案登録請求の範囲】
【請求項１】
基体シートを重ね合わせて内面側に文字又は数字で表した情報印刷部を有すると共に外面に前記情報印刷部を隠蔽する地紋印刷部を設け、該地紋印刷部上に少なくとも宛名印刷部を設けた葉書において、前記地紋印刷部は、仮想矩形形枠の内側に次第に小さくなる第１ないし３の矩形模様印刷部が同軸状に設けられており、
前記第１の矩形模様印刷部の４つの第１の辺印刷部間のそれぞれの角は前記仮想矩形枠のそれぞれの仮想辺の中間に接続又は近接するように設けられ、前記第２の矩形模様印刷部の４つの第２の辺印刷部間のそれぞれの角は前記第１の矩形模様印刷部のそれぞれの第１の辺印刷部の中間に接続又は近接するように設けられ、
前記第３の矩形模様印刷部の４つの第３の辺印刷部間のそれぞれの角は前記第２の矩形模様印刷部のそれぞれの第２の辺印刷部の中間に接続又は近接するように設けられ、
かつ前記第１の辺印刷部のそれぞれの中間部より前記仮想矩形形枠の角に向けて放射方向印刷部を該仮想矩形枠の角に接続又は近接するように設けたことを特徴とする葉書。
【請求項２】
前記仮想矩形形枠の１つの大きさは、前記１つの文字の大きさ又は１つの数字の大きさとほぼ同じであることを特徴とする請求項１記載の葉書。
【請求項３】
前記矩形は正方形であることを特徴とする請求項１又は２記載の葉書。
【請求項４】
前記第１の辺印刷部は破線状に設けられ、前記第２の辺印刷部は中間部が欠いた状態の実線状に設けられ、前記第３の辺印刷部は破線状に設けられたことを特徴とする請求項１〜３のいずれか１項に記載の葉書。
【請求項５】
前記放射方向印刷部の内側は破線状に設けられ、前記放射方向印刷部の外側は実線状に設けられることを特徴とする請求項４記載の葉書。
【請求項６】
前記実線状の第２の辺印刷部の幅及び放射方向印刷部の外側の幅を、前記破線状の第１の辺印刷部の幅、第３の辺印刷部の幅及び放射方向印刷部の内側の幅より大きく設けることを特徴とする請求項５記載の葉書。
【請求項７】
前記仮想辺の長さを文字サイズで１１ポイント以下とし、前記実線状の第２の辺印刷部の幅及び放射方向印刷部の外側の幅を、０．０７〜０．０５ｍｍとし、前記破線状の第１の辺印刷部の幅、第３の辺印刷部の幅及び放射方向印刷部の内側の幅を０．０４〜０．０２５ｍｍとすることを特徴とする請求項６記載の葉書。
【請求項８】
前記基体シートの外面は白色系であり、前記宛名印刷部は黒色系であり、前記地紋印刷部は非白色系又は非黒色系であることを特徴とする請求項１〜７のいずれか１項に記載の葉書。
【考案の詳細な説明】
【技術分野】
【０００１】
本考案は、例えばクレジット会社の請求書や各種抽選の抽選結果通知書等に用いられ、請求金額や抽選結果等の可変情報を含む秘匿情報（隠蔽情報）が印字されると共にこの秘匿情報が外部から見えないように隠蔽された葉書に関するものである。
【背景技術】
【０００２】
従来、この種のものとして図12に示すように接着層を有した基体シート21を二つ折りして重ね合わせて内面側に文字又は数字で表した情報印刷部（図示せず））を有し、外面側の表側に宛名印刷部22を設けると共に、外面側の裏側に前記情報印刷部を隠蔽する地模様等とも称する地紋印刷部23を設けた葉書や、接着層を有した基体シートを、二つ折り、三つ折り、切り重ね、あるいは別体同志の重ね合わせ等、各種の重ね合わせ態様とされてなる葉書であって、前記基体シートの重ね合わせ面に、地紋印刷が施され、該地紋によって秘匿情報が隠蔽されて外部から見えないようにするものが知られている。そして、地紋印刷として花模様印刷部が開示されている。（例えば、特許文献１）
【特許文献１】特開平８−１１４６８号公報
【考案の開示】
【考案が解決しようとする課題】
【０００３】
図12に示す従来技術においては、地紋印刷部23は色が濃く複雑な模様を入れることにより、内側の情報印刷部の文字や数字が透けて見えることを防ぐものであるが、このような地紋印刷部を宛名印刷部22側に設けた場合には宛名印刷部22が地紋印刷部と混合してしまい読めなくなるおそれがある。したがって宛名印刷部22側には地紋印刷部を設けることはできなくなり、この結果宛名印刷部22側の面より情報印刷部が透けて見えてしまうというおそれがある。また、花模様の地紋印刷にあっては、隠蔽すべき文字や数字の角が隠蔽しにくく、秘匿情報の一部が外部から見えてしまうようなおそれがある。このような問題を解決する手段としては地紋印刷の大きさを隠蔽すべき文字や数字に対応して地紋を黒くするように配置すればよいが、このような場合であっては六面体葉書のような開封部全面に情報が印字されている場合、視認性が悪化し地紋を入れることができなくなるという問題がある。
【０００４】
解決しようとする問題点は、隠蔽すべき文字や数字の角などを隠蔽できると共に、地紋を設けた面の宛名などの視認性を向上できる葉書を提供する点である。
【課題を解決するための手段】
【０００５】
請求項１の考案は、基体シートを重ね合わせて内面側に文字又は数字で表した情報印刷部を有すると共に外面に前記情報印刷部を隠蔽する地紋印刷部を設け、該地紋印刷部上に少なくとも宛名印刷部を設けた葉書において、前記地紋印刷部は、仮想矩形形枠の内側に次第に小さくなる第１ないし３の矩形模様印刷部が同軸状に設けられており、
前記第１の矩形模様印刷部の４つの第１の辺印刷部間のそれぞれの角は前記仮想矩形枠のそれぞれの仮想辺の中間に接続又は近接するように設けられ、前記第２の矩形模様印刷部の４つの第２の辺印刷部間のそれぞれの角は前記第１の矩形模様印刷部のそれぞれの第１の辺印刷部の中間に接続又は近接するように設けられ、
前記第３の矩形模様印刷部の４つの第３の辺印刷部間のそれぞれの角は前記第２の矩形模様印刷部のそれぞれの第２の辺印刷部の中間に接続又は近接するように設けられ、
かつ前記第１の辺印刷部のそれぞれの中間部より前記仮想矩形形枠の角に向けて放射方向印刷部を該仮想矩形枠の角に接続又は近接するように設けたことを特徴とする葉書である。
【０００６】
請求項２の考案は、前記仮想矩形形枠の１つの大きさは、前記１つの文字の大きさ又は１つの数字の大きさとほぼ同じであることを特徴とする請求項１記載の葉書である。
【０００７】
請求項３の考案は、前記矩形は正方形であることを特徴とする請求項１又は２記載の葉書である。
【０００８】
請求項４の考案は、前記第１の辺印刷部は破線状に設けられ、前記第２の辺印刷部は中間部が欠いた状態の実線状に設けられ、前記第３の辺印刷部は破線状に設けられたことを特徴とする請求項１〜３のいずれか１項に記載の葉書である。
【０００９】
請求項５の考案は、前記放射方向印刷部の内側は破線状に設けられ、前記放射方向印刷部の外側は実線状に設けられることを特徴とする請求項４記載の葉書である。
【００１０】
請求項６の考案は、前記実線状の第２の辺印刷部の幅及び放射方向印刷部の外側の幅を、前記破線状の第１の辺印刷部の幅、第３の辺印刷部の幅及び放射方向印刷部の内側の幅より大きく設けることを特徴とする請求項５記載の葉書である。
【００１１】
請求項７の考案は、前記仮想辺の長さを文字サイズで１１ポイント以下とし、前記実線状の第２の辺印刷部の幅及び放射方向印刷部の外側の幅を、０．０７〜０．０５ｍｍとし、前記破線状の第１の辺印刷部の幅、第３の辺印刷部の幅及び放射方向印刷部の内側の幅を０．０７〜０．０５ｍｍとすることを特徴とする請求項６記載の葉書である。
【００１２】
請求項８の考案は、前記基体シートの外面は白色系であり、前記宛名印刷部は黒色系であり、前記地紋印刷部は非白色系又は非黒色系であることを特徴とする請求項１〜７のいずれか１項に記載の葉書である。
【考案の効果】
【００１３】
請求項１の考案によれば、文字や数字の隠蔽情報を隠蔽することができると共に、地紋における空隙が比較的大きくできるので地紋を設けた面に宛名などを設けても視認性を向上できる葉書を提供できる。
【００１４】
請求項２の考案によれば、文字や数字などの隠蔽情報を隠蔽することができる。
【００１５】
請求項３の考案によれば、実線状の箇所においては、目の錯覚を起こさせて、読みにくくすることができ、破線状の箇所においては、見た目を良くすることができる。
【００１６】
請求項４の考案によれば、地紋の角において、目の錯覚を起こさせて、読みにくくすることができる。
【００１７】
請求項５の考案によれば、実線状の箇所においては、目をいっそう引き付けの錯覚を起こさせ、破線状の箇所においては、いっそう目立たなくすることができる。
【００１８】
請求項６の考案によれば、最適な地紋の形状とすることができる。
【００１９】
請求項７の考案によれば、文字又は数字と対応するように地紋が配置されるようになる。
【００２０】
請求項８の考案によれば、前記宛名印刷部を設ける白色系外面に非白色系又は非黒色系地紋印刷部を設けると共に、該非白色系又は非黒色系地紋印刷部に黒色系宛名印刷部を設けることにより、宛名印刷部の視認性を向上でき、しかも前記情報印刷部を外側より確実に隠蔽することができる。
【考案を実施するための最良の形態】
【００２１】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２２】
図１ないし図７は二つ折り葉書の場合の実施例１を示しており、二つ折り葉書１は白書系の外面部２と白色系の内面部３を有すると共に中央に折り曲げ部４を有する１枚の所定形状の基体シート１Ａにより形成されており、外面部２の一方には郵便番号や住所の他に氏名或いは名称等の黒色系の宛名印刷部５をあらわすようになっており、内面部３には、例えばクレジット会社の請求や各種抽選の抽選結果等の文字や数字からなる黒色系の情報印刷部６を印刷によりあらわすようになっている。また外面部２には、前記情報印刷部６を隠蔽するための地模様等と称する地紋印刷部７が全面的に隙間がないように密に並設するように形成されている。そして、折り曲げ部４を境界として外面部２を外側に内面部３を内側になるように二つ折りされていると共に、内面部３の一方と他方とは、剥離可能かつ透明な接着層８が施されて接着している。
【００２３】
前記地紋印刷部７は、非白色系又は非黒色系としての青色系の色を使用したものであって、これは１点鎖線で示した十文字仮想線10の交点を中心した２点鎖線で示した正方形の仮想矩形形枠11の内側に第１ないし３の正方形の矩形模様印刷部12，13，14が設けられている。第１の矩形模様印刷部12における４つの直線状な第１の辺印刷部12Ａ間のそれぞれの角12Ｂは仮想矩形枠11のそれぞれ直線状の仮想辺11Ａの中間に接続するように設けられる。又は角12Ｂは仮想矩形枠11のそれぞれ仮想辺11Ａの中間に近接するように設けられてもよい。
【００２４】
前記第２の矩形模様印刷部13における４つの第２の辺印刷部13Ａ間のそれぞれの角13Ｂは第１の矩形模様印刷部12のそれぞれの第１の辺印刷部12Ａの中間に接続するように設けられる。又は角13Ｂは第１の辺印刷部12Ａの中間に近接するように設けられてもよい。
【００２５】
前記第３の矩形模様印刷部14における４つの直線状な第３の辺印刷部14Ａ間のそれぞれの角14Ｂは第２の矩形模様印刷部13のそれぞれ直線状の第２の辺印刷部13Ａの中間に接続するように設けられる。又は角13Ｂは第２の辺印刷部12Ａの中間に近接するように設けられてもよい。
【００２６】
さらに前記第１の辺印刷部12Ａにおけるそれぞれの中間部より仮想矩形形枠11の角11Ｂに向けて直線状の放射方向印刷部15を仮想矩形枠11の角11Ｂまで設けている。又は放射方向印刷部15は角11Ｂに近接するように設けられてもよい。
【００２７】
さらに、前記第１の辺印刷部12Ａは断続的に形成されて破線状に設けられている。また第２の辺印刷部13Ａは中間部13Ｃが欠いた状態の実線状に設けられ、第３の辺印刷部14Ａは破線状に設けられている。放射方向印刷部15の内側15Ａは破線状に設けられ、放射方向印刷部15の外側15Ｂは実線状に設けられている。
【００２８】
また、前記実線状の第２の辺印刷部13Ａの幅Ｘ及び放射方向印刷部15の外側15Ｂの幅Ｘを、前記破線状の第１の辺印刷部12Ａの幅Ｙ、第３の辺印刷部14Ａの幅Ｙ及び放射方向印刷部15の内側15Ａの幅Ｙより大きく設けている（Ｘ＞Ｙ）。
【００２９】
そして、仮想矩形形枠11の１つの大きさは前記情報印刷部６を形成する文字の1つ又は数字の１つの大きさとほぼ同じである。実施例では前記仮想辺11Ａの長さＬを文字サイズで11ポイント（3.865ｍｍ）以下とし、幅Ｘを０．０７〜０．０５ｍｍとし、前記幅Ｙを０．０４〜０．０２５ｍｍとしている。
【００３０】
次に前記構成についてその作用を説明する。外面部２と内面部３とが接着した二つ折り葉書１の状態で図５に示すように情報印刷部６としての一点鎖線で示した文字「Ａ」に並設した地紋印刷部７が重ね合わされると「Ａ」は隠蔽される。この際、地紋印刷部７においては、内側に配置される第１ないし３の正方形の矩形模様印刷部12，13，14の他に、第１の辺印刷部12Ａのそれぞれの中間部より仮想矩形形枠11の角11Ｂに向けて放射方向印刷部15を該仮想矩形枠11の角11Ｂに接続又は近接するように設けたことにより、地紋印刷部７の角においても情報印刷部６としての「Ａ」の細部を隠蔽することができる。
【００３１】
また、第２の辺印刷部13Ａは中間部13Ｃが欠いた状態の実線状に設けられると共に、放射方向印刷部15の外側15Ｂは実線状に設けられていることにより、これら実線状の箇所においては、目の錯覚を起こさせ、透ける文字や数字を隠蔽し、読みにくくすることができ、一方第１の辺印刷部12Ａ、第３の辺印刷部14Ａや放射方向印刷部15の内側15Ａは破線状に設けられているので、前記実線部を目立たなくして見た目を良くすることができる。
【００３２】
さらに、図６に示すように宛名印刷部５としての「あ」は、仮想矩形形枠11の内側に間隔をおいて設けられた前記第１ないし３の正方形の矩形模様印刷部12，13，14が内側に設けられているので、前記隙間によって空間感覚が得られ、「あ」を視認しやすくなる。
【００３３】
以上のように、前記実施例では請求項１に対応して基体シート１Ａを重ね合わせて内面側に文字又は数字で表した情報を有すると共に外面に前記情報を隠蔽する地紋印刷部７を設けた葉書において、前記地紋印刷部７は、仮想矩形形枠11の内側に第１ないし３の矩形模様印刷部12，13，14が設けられていると共に、第１の辺印刷部12Ａにおけるそれぞれの中間部より仮想矩形形枠11の角11Ｂに向けて直線状の放射方向印刷部15を仮想矩形枠11の角11Ｂ側まで設けており、地紋印刷部７の内側のみならず外側をもカバーすることで、情報印刷部６を隠蔽することができると共に、矩形模様印刷部12，13，14間の空隙により空白部が多く宛名印刷部５等を印刷しても、その視認性を向上できる。
【００３４】
しかも、前記実施例では請求項２に対応して前記仮想矩形形枠11の１つの大きさは、前記情報印刷部６をあらわす１つの文字の大きさ又は１つの数字の大きさとほぼ同じであることにより、文字又は数字と対応するように地紋印刷部７が配置されるようになる。
【００３５】
また、前記実施例では請求項３に対応して仮想矩形形枠11及び第１ないし３の矩形模様印刷部12，13，14を正方形とすることにより、文字や数字などのようなほぼ外形が正方形に近似するような情報印刷部６を隠蔽することができる。
【００３６】
さらに、前記実施例では請求項４に対応して第１の辺印刷部12Ａは破線状に設けられ、第２の辺印刷部13Ａは中間部13Ｃが欠いた状態の実線状に設けられ、第３の辺印刷部は14Ａ破線状に設けられたことで、実線状の箇所においては、目の錯覚を起こさせ、透ける文字や数字を隠蔽し、読みにくくすることができ、一方破線状の箇所においては、前記実線部を目立たなくして宛名印刷部５等の見た目を良くすることができる。
【００３７】
また、前記実施例では請求項５に対応して前記放射方向印刷部15の内側15Ａは破線状に設けられ、外側15Ｂは実線状に設けられることにより、角11Ｂ側において実線状の箇所においては、目の錯覚を起こさせ、透ける文字や数字を隠蔽し、読みにくくすることができ、破線状の箇所においては、前記実線部を目立たなくして見た目を良くすることができるので、地紋印刷部７の外側をカバーすることで、情報印刷部６を隠蔽することができる。
【００３８】
さらに、前記実施例では請求項６に対応して前記実線状の第２の辺印刷部13Ａの幅Ｘ及び放射方向印刷部15の外側15Ｂの幅Ｘを、前記破線状の第１の辺印刷部12Ａの幅Ｙ、第３の辺印刷部14Ａの幅Ｙ及び放射方向印刷部15の内側15Ａの幅Ｙより大きく設けることで、実線状の箇所においては、目をいっそう引き付けの錯覚を起こさせ、破線状の箇所においては、いっそう目立たなくすることができる。
【００３９】
また、前記実施例では請求項７に対応して前記仮想辺11Ａの長さＬを文字サイズで１１ポイント以下とし、前記実線状の幅Ｘを、０．０７〜０．０５ｍｍとし、前記破線状の幅Ｙを０．０４〜０．０２５ｍｍとすることにより、最適な地紋印刷部７の形状とすることができる。
【００４０】
しかも、前記実施例では請求項８に対応して前記基体シート１Ａの外面は白色系であり、前記宛名印刷部５は黒色系であり、前記地紋印刷部７は非白色系又は非黒色系としての青色系であることにより、白地の基体シート１Ａ上に青色系地紋印刷部７が設けられると共に、青色系地紋印刷部７上に黒色系宛名印刷部５を設けることで、宛名印刷部５が明瞭に視認されると共に、青色系地紋印刷部７により情報印刷部６を確実に隠蔽することができる。
【実施例２】
【００４１】
図８及び図９は二つ折り葉書の場合の実施例２を示しており、前記実施例１と同一部分には同一符号を付し、その詳細な説明を省略する。二つ折り葉書１は白書系の外面部２と白色系の内面部３を有すると共に中央に折り曲げ部４を有する１枚の基体シート１Ａにより形成されており、外面部２の一方には宛名印刷部５をあらわすようになっており、内面部３には、情報印刷部６を印刷によりあらわすようになっている。また外面部２には、前記情報印刷部６を隠蔽するための地紋印刷部７が外面部２の一方に隙間がないように密に並設するように形成されている。一方、外面部２の他方には、濃く複雑な地紋16が形成されている。尚、図８及び図９において濃く複雑な地紋印刷部16はバツ印の四方に点を配した記号により代用して図示している。そして、濃く複雑な地紋印刷部16によってその内側をカバーして情報印刷部６を隠蔽するようにしている。さらに、折り曲げ部４を境界として外面部２を外側に内面部３を内側になるように二つ折りされていると共に、内面部３の一方と他方とは、剥離可能かつ透明な接着層が施されて接着している。
【００４２】
したがって、宛名印刷部５を設けた面に地紋印刷部７を設け、その内側をカバーすることで、情報印刷部６を隠蔽することができると共に、矩形模様印刷部12，13，14間の空隙により空白部が多く宛名印刷部５等を印刷しても、その視認性を向上できる。
【実施例３】
【００４３】
図10及び図11は三つ折り葉書の場合の実施例３を示しており、三つ折り葉書１は白書系の外面部２と白色系の内面部３を有すると共に左右２箇所に折り曲げ部４を有する１枚の基体シート１Ａにより形成されており、外面部２の一方には宛名印刷部５をあらわすようになっており、内面部３には、情報印刷部６を印刷によりあらわすようになっている。また外面部２の一方の宛名印刷部５をあらわした面には、前記情報印刷部６を隠蔽するための地紋印刷部７が全面的に隙間がないように密に並設するように形成されている。さらに、外面部２の他方には濃く複雑な地紋印刷部16が形成されている。尚、図10及び図11においても濃く複雑な地紋印刷部16はバツ印の四方に点を配した記号により代用して図示している。そして、濃く複雑な地紋印刷部16によってその内側をカバーして情報印刷部６を隠蔽するようにしている。さらに、折り曲げ部４を境界として外面部２を外側に内面部３を内側になるように三つ折りされていると共に、内面部３は剥離可能かつ透明な接着層が施されて接着している。尚、外面部２の他方には実施例１に示した地紋を設けてもよい。
【産業上の利用可能性】
【００４４】
以上のように本考案にかかる葉書は、２つ折り葉書として使用する場合を例として説明したが、その他、貼り合せ葉書等に広く適用できるものである。
【図面の簡単な説明】
【００４５】
【図１】本考案の実施例１を示す外面側の斜視図である。
【図２】本考案の実施例１を示す内面側の斜視図である。
【図３】本考案の実施例１を示す地紋の平面図である。
【図４】本考案の実施例１を示す地紋の配置を示す平面説明図である。
【図５】本考案の実施例１を示す地紋の情報印刷部との使用状態の平面図である。
【図６】本考案の実施例１を示す地紋の宛名印刷部との使用状態の平面図である。
【図７】本考案の実施例１を示す断面図である。
【図８】本考案の実施例２を示す外面側の斜視図である。
【図９】本考案の実施例２を示す内面側の斜視図である。
【図１０】本考案の実施例３を示す外面側の斜視図である。
【図１１】本考案の実施例３を示す内面側の斜視図である。
【図１２】従来例を示す斜視図である。
【符号の説明】
【００４６】
１Ａ  基体シート
６  隠蔽情報
７  地紋印刷部
11  仮想矩形形枠
11Ａ  仮想辺
11Ｂ  角
12Ａ  第１の辺印刷部
12  第１の矩形模様印刷部
12Ａ  第１の辺印刷部
12Ｂ  角
13  第２の矩形模様印刷部
13Ａ  第２の辺印刷部
13Ｂ  角
13Ｃ  中間部
14  第３の矩形模様印刷部
14Ａ  第３の辺印刷部
14Ｂ  角
15  放射方向印刷部
15Ａ  内側
15Ｂ  外側
Ｌ  長さ
Ｘ  Ｙ  幅
【図１】
0003105383.tif 000003
【図２】
0003105383.tif 000004
【図３】
0003105383.tif 000005
【図４】
0003105383.tif 000006
【図５】
0003105383.tif 000007
【図６】
0003105383.tif 000008
【図７】
0003105383.tif 000009
【図８】
0003105383.tif 000010
【図９】
0003105383.tif 000011
【図１０】
0003105383.tif 000012
【図１１】
0003105383.tif 000013
【図１２】
0003105383.tif 000014